【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
ロング・ターム・エボリューション（ＬＴＥ）または後続世代のネットワークにおけるエンドツーエンド優先サービスをサポートする方法であって、前記方法は、
ＬＴＥまたは後続世代のネットワークにおいて動作するように構成されたネットワークノードにおいて、
ネットワーク内の通信のセッションまたはトランザクションに関連するメッセージを受信するステップを含み、前記メッセージは、前記セッションまたはトランザクションに関連するユーザを優先ユーザとして特定するエンドツーエンド優先ユーザインジケータを含み、
前記エンドツーエンド優先ユーザインジケータに対応する優先度で前記セッションまたはトランザクションを処理するステップと、
前記エンドツーエンド優先ユーザインジケータを、前記受信したメッセージと同一のセッションまたはトランザクションに関連する、前記ネットワークノードによって送信される後続のメッセージに含めるステップとを含む、方法。
【請求項２】
前記ネットワークノードは、Ｄｉａｍｅｔｅｒシグナリングルータ（ＤＳＲ）を含み、
前記受信したメッセージは、前記エンドツーエンド優先ユーザインジケータを保持する更新位置要求（ＵＬＲ）メッセージを含み、
前記エンドツーエンド優先ユーザインジケータに対応する優先度で前記セッションまたはトランザクションを処理するステップは、前記ＵＬＲメッセージ内の前記エンドツーエンド優先ユーザインジケータに対応するメッセージ優先度で、前記ＵＬＲメッセージをルーティングするステップを含む、請求項１に記載の方法。
【請求項３】
前記ネットワークノードは、ホームサブスクライバサーバ（ＨＳＳ）を含み、
前記受信したメッセージは、前記エンドツーエンド優先ユーザインジケータを含む更新位置要求（ＵＬＲ）メッセージを含み、
前記方法は、前記受信したメッセージ内の前記エンドツーエンド優先ユーザインジケータが、前記ユーザに割り当てられた優先度と一致するか否かを検証するステップをさらに含む、請求項１または２に記載の方法。
【請求項４】
前記ネットワークノードは、ポリシーおよび課金ルール機能（ＰＣＲＦ）を含み、
前記受信したメッセージは、接続作成要求−初期（ＣＣＲ−Ｉ）メッセージを含み、
前記エンドツーエンド優先ユーザインジケータを後続のメッセージに含めるステップは、前記エンドツーエンド優先ユーザインジケータを、サブスクリプションプロファイルリポジトリ（ＳＰＲ）に送信されるユーザデータ要求（ＵＤＲ）メッセージに含めるステップを含む、請求項１から３のいずれか１項に記載の方法。
【請求項５】
前記ＰＣＲＦは、リアルタイムネットワーク利用情報に基づいて、前記エンドツーエンド優先ユーザインジケータに対応する優先度レベルをオーバーライドするか否かを判断する、請求項４に記載の方法。
【請求項６】
前記受信したメッセージは、前記エンドツーエンド優先ユーザインジケータに加えて優先度レベル情報をさらに含む、請求項１から５のいずれか１項に記載の方法。
【請求項７】
前記受信したメッセージは、Ｄｉａｍｅｔｅｒメッセージを含み、
前記エンドツーエンド優先ユーザインジケータは、Ｄｉａｍｅｔｅｒヘッダのコマンドフラグに、または、前記Ｄｉａｍｅｔｅｒヘッダの外部の属性値ペアに、格納される、請求項１から６のいずれか１項に記載の方法。
【請求項８】
前記エンドツーエンド優先ユーザインジケータと前記セッションまたはトランザクションとの関係を格納するステップを含む、請求項１から７のいずれか１項に記載の方法。
【請求項９】
前記ネットワークノードは、ＩＰマルチメディアサブシステム（ＩＭＳ）ネットワークノードを含み、
前記受信したメッセージは、セッションイニシエーションプロトコル（ＳＩＰ）招待メッセージを含む、請求項１から８のいずれか１項に記載の方法。
【請求項１０】
ロング・ターム・エボリューション（ＬＴＥ）または後続世代のネットワークにおけるエンドツーエンド優先サービスをサポートするためのシステムであって、前記システムは、
ＬＴＥまたは後続世代のネットワークにおいて動作するように構成されたネットワークノードを備え、前記ネットワークノードは、
少なくとも１つのプロセッサと、
前記少なくとも１つのプロセッサがアクセス可能なメモリと、
前記メモリに格納され前記少なくとも１つのプロセッサによって実行可能なエンドツーエンド優先サービスサポートモジュールとを含み、前記エンドツーエンド優先サービスサポートモジュールは、前記プロセッサによって実行されることにより、
ネットワーク内の通信のセッションまたはトランザクションに関連するメッセージを受信し、前記メッセージは、前記セッションまたはトランザクションに関連するユーザを優先ユーザとして特定するエンドツーエンド優先ユーザインジケータを含み、
前記エンドツーエンド優先ユーザインジケータに対応する優先度で前記セッションまたはトランザクションを処理し、
前記エンドツーエンド優先ユーザインジケータを、前記受信したメッセージと同一のセッションまたはトランザクションに関連する、前記ネットワークノードによって送信される後続のメッセージに含めるように、構成されている、システム。
【請求項１１】
前記ネットワークノードは、Ｄｉａｍｅｔｅｒシグナリングルータ（ＤＳＲ）を含み、
前記受信したメッセージは、前記エンドツーエンド優先ユーザインジケータを保持する更新位置要求（ＵＬＲ）メッセージを含み、
前記エンドツーエンド優先ユーザインジケータに対応する優先度で前記セッションまたはトランザクションを処理することは、前記ＵＬＲメッセージ内の前記エンドツーエンド優先ユーザインジケータに対応するメッセージ優先度で、前記ＵＬＲメッセージをルーティングすることを含む、請求項１０に記載のシステム。
【請求項１２】
前記ネットワークノードは、ホームサブスクライバサーバ（ＨＳＳ）を含み、
前記受信したメッセージは、前記エンドツーエンド優先ユーザインジケータを含む更新位置要求（ＵＬＲ）メッセージを含み、
前記エンドツーエンド優先サービスサポートモジュールは、前記メッセージ内の前記エンドツーエンド優先ユーザインジケータが、前記ユーザに割り当てられた優先度と一致するか否かを検証するように構成されている、請求項１０または１１に記載のシステム。
【請求項１３】
前記ネットワークノードは、ポリシーおよび課金ルール機能（ＰＣＲＦ）を含み、
前記受信したメッセージは、接続作成要求−初期（ＣＣＲ−Ｉ）メッセージを含み、
前記エンドツーエンド優先ユーザインジケータを後続のメッセージに含めることは、前記エンドツーエンド優先ユーザインジケータを、サブスクリプションプロファイルリポジトリ（ＳＰＲ）に送信されるユーザデータ要求（ＵＤＲ）メッセージに含めることを含む、請求項１０から１２のいずれか１項に記載のシステム。
【請求項１４】
前記ＰＣＲＦは、リアルタイムネットワーク利用情報に基づいて、前記エンドツーエンド優先ユーザインジケータに対応する優先度レベルをオーバーライドするか否かを判断する、請求項１３に記載のシステム。
【請求項１５】
前記受信したメッセージは、前記エンドツーエンド優先ユーザインジケータに加えて優先度レベル情報をさらに含む、請求項１０から１４のいずれか１項に記載のシステム。
【請求項１６】
前記受信したメッセージは、Ｄｉａｍｅｔｅｒメッセージを含み、
前記エンドツーエンド優先ユーザインジケータは、Ｄｉａｍｅｔｅｒヘッダのコマンドフラグに、または、前記Ｄｉａｍｅｔｅｒヘッダの外部の属性値ペアに、格納される、請求項１０から１５のいずれか１項に記載のシステム。
【請求項１７】
前記受信したメッセージは、前記エンドツーエンド優先ユーザインジケータを保持する汎用パケット無線サービストンネリングプロトコル（ＧＴＰ）メッセージを含む、請求項１０から１６のいずれか１項に記載のシステム。
【請求項１８】
前記エンドツーエンド優先サービスサポートモジュールは、前記エンドツーエンド優先ユーザインジケータと前記セッションまたはトランザクションとの関係を格納するように構成されている、請求項１０から１７のいずれか１項に記載のシステム。
【請求項１９】
前記ネットワークノードは、ＩＰマルチメディアサブシステム（ＩＭＳ）ネットワークノードを含み、
前記受信したメッセージは、セッションイニシエーションプロトコル（ＳＩＰ）招待メッセージを含む、請求項１０から１８のいずれか１項に記載のシステム。
【請求項２０】
コンピュータの少なくとも１つのプロセッサによって実行されると前記コンピュータに請求項１から９のいずれか１項に記載の方法を実行させるコンピュータ実行可能命令を含むコンピュータ読取可能なプログラム。